(57)【要約】  横一列に並べて配置される複数の針（７）から形成されるニードルストリップを有しており、前記ニードルストリップの前記各針（７）の尖端（９）が、マウスピース（１）の吸引孔（４）の内部に突出するように位置決めされている、糸捕捉装置のマウスピースにおいて、前記各針（７）を角度α分曲げ加工されることが企図される。
2009535277.tif 000002
【特許請求の範囲】
【請求項１】
相並んで配置された複数の針から形成されるニードルストリップを備えて成る糸捕捉装置のマウスピースであって、上記ニードルストリップの針の尖端が、マウスピースの吸引孔の内部に突出するように位置決めされている、マウスピースにおいて、前記各針（７）が角度αだけ曲げられていることを特徴とする、マウスピース。
【請求項２】
前記各針（７）が約６０°だけ曲げられていることを特徴とする、請求項１に記載のマウスピース。
【請求項３】
前記各針（７）が型押し加工されること、前記各針（７）が、前記マウスピース（１）に接続されたカバープレート（１１）に配置されていることを特徴とする、請求項１に記載のマウスピース。
【請求項４】
前記カバープレート（１１）の自由端が、前記各針（７）に、それぞれの尖端（９）をむき出しとしたまま、重複していることを特徴とする、請求項３に記載のマウスピース。
【請求項５】
前記カバープレート（１１）の前縁部が、前記各針（７）の尖端（９）の領域にて楔形に仕上げられ、特に鋭利に削られていることを特徴とする、請求項４に記載のマウスピース。
【請求項６】
前記各針（７）が前記カバープレート（１１）に接着されていることを特徴とする、請求項３に記載のマウスピース。
【請求項７】
前記カバープレート（１１）の前記ニードルストリップ接触領域にて、熱活性化式の接着テープ（１２、１３）が施されることを特徴とする、請求項６に記載のマウスピース。
【請求項８】
針（７）にハンドリングアシストが備えられ、特に前記針（７）が曲げ加工されることを特徴とする、糸捕捉装置のマウスピース用のニードルストリップ。
【請求項９】
針（７）が約６０°の角度αだけ曲げられていることを特徴とする、請求項８に記載の糸捕捉装置のマウスピース用のニードルストリップ。
【請求項１０】
針（７）を、硬化前の状態で曲げ加工し、硬化処理を施して、続いて曲げ加工されたカバープレート（１１）に対して接着する工程から成ることを特徴とする、糸捕捉装置のマウスピース用の、複数の針を備えて成るニードルストリップの製造方法。
【発明の詳細な説明】
【技術分野】
【０００１】
本発明は、横一列に並べて配置された複数の針により形成されるニードルストリップ（ニードルライン、針列）を有しており、ニードルストリップのそれぞれの針の尖端が、マウスピースの吸引孔の内部に突出するように位置決めされている糸捕捉装置用のマウスピース（口金）、およびそのようなマウスピース用のニードルストリップに関している。
【背景技術】
【０００２】
この種の糸捕捉装置は、特許文献１から知られている。
ほかにも、吸い口の領域に曲げ加工されたプレート部分が備えられ、その上に、針の尖端が開口領域の内部に突出するようにニードルストリップが取り付けられるようになっている糸捕捉装置が知られている。このニードルストリップは、一列の針と二つのカバープレートとから成るが、これは、それを製造するために、全部でかなり多くの部品点数を要することを意味している。
【０００３】
ラップから引き出される糸を処理する繊維機械では、糸切れを監視し糸の解き出しを中止するセンサが備えられている。切れた糸端を再びつなぐためには、糸端を探し出してつかむことが不可欠である。ラップ側での糸の捕捉は通例、吸引用マウスピースを利用して行われるようになっている。糸を捕捉するために、吸引用マウスピースにはニードルストリップが備えられるが、その正確な位置決めに対しては、個々の針の位置の許容誤差も含めて、全体として厳しい要求が課されている。この種の装置において周知であるとされているコームでは、これらの要求に十分に応えられずにいる。
【０００４】
ほかにも、二重に縁曲げ加工された保持プレートを有しており、既成のニードルストリップが、この保持プレートの前側端部の内側に取り付けられるようになっているマウスピースが知られている。このニードルストリップもまた、二つのカバープレートを有している。そのようなニードルストリップの製造も、また保持プレートの縁曲げ加工も、かなり工数がかかりコスト高である。
【０００５】
【特許文献１】欧州特許発明第０３９８４１５号明細書
【発明の開示】
【発明が解決しようとする課題】
【０００６】
以上のような背景から、本発明は、冒頭に記した種類のマウスピース、およびマウスピース用の特に交換式のニードルストリップを、低コストでの製造と同時に、尖端領域の僅かな許容誤差と正確な位置決めが可能となるように構成することを課題として成されたものである。
【課題を解決するための手段】
【０００７】
この課題は、本発明にしたがって、それぞれの針にハンドリングアシストを備えること、特にそれぞれの針が角度α分曲げ加工されることにより解決される。
このように構成することによって、糸の確実な把持が保証される。それ以外にもニードルストリップを、すなわち針とベースプレートとを本発明にしたがって構成することにより、作業工程の追加を不要として針尖端を定義通りに位置決め可能とすることが達成される。
【０００８】
針は、約６０°曲げ加工されるようにすることが好ましい。
針は、型押し加工されて、マウスピースに接続されているカバープレートに配置されるとよい。
【０００９】
有利なことにもカバープレートの自由端は、針の尖端をむき出しとしたまま針に重複しているようになっているが、そこではカバープレートの前縁部が、針の尖端領域のところで、有利であるように楔形に鋭利に削られている。
【００１０】
針は、カバープレートに接着されるとよいが、その限りにおいては有利なことにも、カバープレートのニードルストリップ接触領域に、ホットメルト接着テープが施されるようになっている。
【００１１】
本発明はほかにも、糸捕捉装置のマウスピース用のニードルストリップに向けられているが、これは、針が好ましくは角度６０°分曲げ加工される点において傑出したものとなっている。
【００１２】
本発明はさらに、糸捕捉装置のマウスピース用の複数の針を有するニードルストリップの製造方法にも関するが、これは、針が硬化前の状態で曲げ加工されて、硬化処理の後、曲げ加工されたカバープレートに接着される点において傑出したものとなっている。
【発明を実施するための最良の形態】
【００１３】
次に本発明を、好ましい実施例に基づき図面に関連づけて詳しく説明する。図には、本発明にしたがった糸捕捉装置のマウスピースの断面略図が示されている。
図に示される糸捕捉装置のマウスピース１は、ガイドプレート２、３と、その間に構成される吸引孔４を有しており、空気はこれを通り矢印５の向きに吸引されるようになっている。
【００１４】
図の右側のガイドプレート２には、横一列に並べて配置される、型押し加工され、６０°である角度α分曲げ加工された複数の針から成るニードルストリップ６が取り付けられている。
【００１５】
個々の針７はいずれも、脚部領域８と尖端領域９と、その間の曲げ加工部１０とを有している。
これらの針７は、ニードルストリップに重複しているコーナープレート１１に、ホットメルト接着テープ１２および１３により接着されている。
【００１６】
このカバープレート１１の前縁部１４は、楔形に鋭利に削られており、針７の尖端１５の後方で終端している。
カバープレート１１は、通しボルト１６、１７を介してガイドプレート２に締結されている。
【図面の簡単な説明】
【００１７】
【図１】本発明にしたがった糸捕捉装置のマウスピースの断面略図である。
【符号の説明】
【００１８】
１  マウスピース
２  ガイドプレート
３  ガイドプレート
４  吸引孔
５  向き
６  ニードルストリップ
７  針
８  脚部領域
９  尖端領域
１０  曲げ加工部
１１  カバープレート
１２  接着テープ
１３  接着テープ
１４  前縁部
１５  尖端
１６  通しボルト
１７  通しボルト
【図１】
2009535277.tif 000003
【手続補正書】
【提出日】平成21年1月5日(2009.1.5)
【手続補正１】
【補正対象書類名】特許請求の範囲
【補正対象項目名】全文
【補正方法】変更
【補正の内容】
【特許請求の範囲】
【請求項１】
糸捕捉装置のマウスピース（１）用のニードルストリップであって、マウスピース（１）はガイドプレート（２，３）とそれらの間に形成された吸引孔（４）とを備えて成り、上記ニードルストリップは、
ａ）曲げ加工されたカバープレート（１１）として構成されたハンドリングアシストと、
ｂ）相並んで配置された一列の複数の針（７）と
を備えて構成され、
ｃ）上記複数の針（７）が型押し加工され、角度（α）だけ曲げられており、
ｄ）上記複数の針（７）が上記カバープレート（１１）上に配置され当該カバープレート（１１）に接着結合されており、
ｅ）上記カバープレート（１１）が上記ガイドプレート（２，３）の一つに接続されていて、マウスピース（１）の吸引孔（４）に突き出るように、上記針（７）の尖端が位置決めされている、
ニードルストリップ。
【請求項２】
前記複数の針（７）が約６０°だけ曲げられていることを特徴とする、請求項１に記載のニードルストリップ。
【請求項３】
前記カバープレート（１１）の自由端が、前記複数の針（７）に、それぞれの尖端（１５）をむき出しとしたまま、重複していることを特徴とする、請求項１に記載のニードルストリップ。
【請求項４】
前記カバープレート（１１）の前縁部が、前記複数の針（７）の尖端（１５）の領域（９）にて楔形に仕上げられていることを特徴とする、請求項３に記載のニードルストリップ。
【請求項５】
前記カバープレート（１１）の前縁部が、前記複数の針（７）の尖端（１５）の領域（９）にて鋭利に削られていることを特徴とする、請求項４に記載のニードルストリップ。
【請求項６】
前記複数の針（７）が前記カバープレート（１１）に接触する領域にて、熱活性化式の接着テープ（１２、１３）が施されることを特徴とする、請求項１に記載のニードルストリップ。
【請求項７】
請求項１〜６のいずれか一項に記載の、複数の針（７）を備えて成るニードルストリップ（６）を製造する方法において、上記複数の針（７）を、硬化前の状態で曲げ加工し、硬化処理を施して、続いて曲げ加工されたカバープレート（１１）に対して接着結合する工程から成ることを特徴とする、ニードルストリップ製造方法。
【手続補正３】
【補正対象書類名】明細書
【補正対象項目名】０００１
【補正方法】変更
【補正の内容】
【０００１】
本発明は、糸捕捉装置用のマウスピース（口金）の、横一列に並べて配置された複数の針により形成されるニードルストリップ（ニードルライン、針列）に関しており、ニードルストリップのそれぞれの針の尖端は、マウスピースの吸引孔の内部に突出するように位置決めされている。また、そのようなマウスピース用のニードルストリップにも関している。
【国際調査報告】
2009535277.tif 000004
2009535277.tif 000005
2009535277.tif 000006
2009535277.tif 000007
2009535277.tif 000008
2009535277.tif 000009